(57)【要約】【課題】遠隔スポットにおいても、容易にメイン会場の演出に参加できる演出制御システムを提供する。【解決手段】制御装置１０は、子機４０の発光を制御する制御コマンドを生成し、子機４０に無線送信する。カメラ３０は、子機４０の発光による演出を撮影し、撮影した演出の映像信号を制御装置１０に送信する。制御装置１０は、生成した制御コマンドと、カメラ３０の映像信号とを、ネットワーク７０を介して無線通信端末５０に送信する。無線通信端末５０は、制御装置１０から送信された映像信号に基づいて、ディスプレイ５２に映像を表示し、制御装置１０から送信された制御コマンドを遠隔子機６０に無線送信する。【選択図】図２
2019097031.tif 000002
【特許請求の範囲】
【請求項１】
制御コマンドを生成する制御装置と、
前記制御装置が無線通信によって送信する前記制御コマンドを受信する受信回路と、受信された前記制御コマンドに基づいて発光する第１の発光部と、を有する第１の無線機器と、
前記第１の発光部の発光による演出を撮影し、前記演出の映像信号を前記制御装置へ送信する撮影装置と、
表示装置を有し、前記制御装置と無線通信を行う無線通信端末と、
前記制御コマンドに基づいて発光する第２の発光部を有し、前記無線通信端末と無線通信を行う第２の無線機器と、
を備え、
前記制御装置は、
前記映像信号と前記制御コマンドとを前記無線通信端末に送信し、
前記無線通信端末は、
前記制御装置から前記映像信号と前記制御コマンドとを受信し、
前記映像信号に基づく映像を前記表示装置に表示し、前記制御コマンドを無線通信によって前記第２の無線機器に送信する、
演出制御システム。
【請求項２】
前記無線通信端末は、前記第２の発光部の発光が、前記表示装置に表示される前記第１の発光部の発光とタイミングが合うように、前記第２の無線機器への前記制御コマンドの送信時刻を制御する、
請求項１に記載の演出制御システム。
【請求項３】
前記無線通信端末は、
前記制御コマンドに基づいて発光する前記第１の発光部の映像の前記表示装置への表示時刻より前に、前記制御コマンドを前記第２の無線機器に送信する、
請求項２に記載の演出制御システム。
【請求項４】
前記制御コマンドの前記第２の無線機器への送信間隔は、前記制御コマンドの前記第１の無線機器への送信間隔と異なっている、
請求項３に記載の演出制御システム。
【請求項５】
前記制御装置は、前記第１の無線機器および前記撮影装置の配置を示すマップ情報を生成して前記無線通信端末へ送信し、
前記無線通信端末は、前記マップ情報に基づいて前記第１の無線機器および前記撮影装置の配置を前記表示装置に表示し、ユーザから前記表示装置に表示する映像に含む位置の選択を受付ける、
請求項１から４のいずれか一項に記載の演出制御システム。
【請求項６】
前記制御装置は、ユーザが選択した位置の前記第１の発光部に送信した前記制御コマンドを前記無線通信端末に送信する、
請求項５に記載の演出制御システム。
【請求項７】
前記無線通信端末と前記第２の無線機器とは、ＢＬＥ（Bluetooth（登録商標） Low Energy）によって無線通信を行う、
請求項１から６のいずれか一項に記載の演出制御システム。
【請求項８】
制御コマンドに基づいて発光する第１の発光部を有する第１の無線機器と無線通信を行う第１の通信部と、
前記制御コマンドを生成し、前記第１の通信部によって前記第１の無線機器に送信する演出制御部と、
前記第１の発光部の発光による演出を撮影する撮影装置から、映像信号を受信する映像受信回路と、
前記映像信号に基づく映像を表示する表示装置と、前記制御コマンドに基づいて発光する第２の発光部を有する第２の無線機器と無線通信を行う通信部と、を備えた無線通信端末に対し、前記映像信号と前記制御コマンドとを無線通信によって送信する第２の通信部と、
を有する制御装置。
【請求項９】
制御コマンドに基づいて発光する第１の発光部を有する第１の無線機器と無線通信を行う通信部と、前記制御コマンドを生成し、前記通信部によって前記第１の無線機器に送信する演出制御部と、前記第１の発光部の発光による演出を撮影する撮影装置から、映像信号を受信する受信回路と、を備えた制御装置から、前記制御コマンドと前記映像信号とを無線通信によって受信する第１の通信部と、
前記映像信号に基づく映像を表示する表示装置と、
前記制御コマンドに基づいて発光する第２の発光部を有する第２の無線機器に対し、前記制御コマンドを無線通信によって送信する第２の通信部と、
を有する無線通信端末。
【発明の詳細な説明】
【技術分野】
【０００１】
本開示は、演出制御システム、制御装置、および無線通信端末に関する。
【背景技術】
【０００２】
近年、多くの観客を収容するスタジアムやホールといった施設では、観客による会場演出が行われている。会場演出とは、例えば、観客は、無線制御対応のペンライトやブレスレッドといった発光装置を所持し、制御装置が、各発光装置の点灯または消灯を制御して会場全体を演出することである。制御装置は、例えば、発光装置が並ぶ領域（観客が並ぶ領域）の全体または一部を演出領域として、例えば、文字の表示や色の変化の演出を行う。このような演出（会場演出）を、以下では集合演出と呼ぶことがある。
【０００３】
特許文献１には、スタジアムやホールといったメイン会場以外の遠隔スポット、例えば、パブリックビューイング会場でも集合演出を実施するシステムが開示されている。
【先行技術文献】
【特許文献】
【０００４】
【特許文献１】特開２０１５−７３１８２号公報
【発明の概要】
【発明が解決しようとする課題】
【０００５】
しかしながら、特許文献１のシステムでは、発光装置としてスマートフォンを想定しており、遠隔スポットでの演出は、そのスマートフォンに予めダウンロードしたコンテンツに従う。例えば、ユーザは、演出に参加したいコンサートを特定し、サーバから、特定したコンテンツをスマートフォンにダウンロードする。スマートフォンは、ダウンロードしたコンテンツに基づいた演出を行う。そのため、特許文献１では、演出準備に手間がかかり、また、演出内容の変更に速やかに対応することが困難であった。
【０００６】
本開示の非限定的な実施例は、遠隔スポットにおいても、容易にメイン会場の演出に参加できる技術の提供に資する。
【課題を解決するための手段】
【０００７】
本開示の一態様に係る演出制御システムは、制御コマンドを生成する制御装置と、前記制御装置が無線通信によって送信する前記制御コマンドを受信する受信回路と、受信された前記制御コマンドに基づいて発光する第１の発光部と、を有する第１の無線機器と、前記第１の発光部の発光による演出を撮影し、前記演出の映像信号を前記制御装置へ送信する撮影装置と、表示装置を有し、前記制御装置と無線通信を行う無線通信端末と、前記制御コマンドに基づいて発光する第２の発光部を有し、前記無線通信端末と無線通信を行う第２の無線機器と、を備え、前記制御装置は、前記映像信号と前記制御コマンドとを前記無線通信端末に送信し、前記無線通信端末は、前記制御装置から前記映像信号と前記制御コマンドとを受信し、前記映像信号に基づく映像を前記表示装置に表示し、前記制御コマンドを無線通信によって前記第２の無線機器に送信する。
【０００８】
なお、これらの包括的または具体的な態様は、システム、方法、集積回路、コンピュータプログラム、または、記録媒体で実現されてもよく、システム、装置、方法、集積回路、コンピュータプログラムおよび記録媒体の任意な組み合わせで実現されてもよい。
【発明の効果】
【０００９】
本開示の一態様によれば、遠隔スポットにおいても、容易にメイン会場の演出に参加できる。
【００１０】
本開示の一態様における更なる利点および効果は、明細書および図面から明らかにされる。かかる利点および／または効果は、いくつかの実施形態並びに明細書および図面に記載された特徴によってそれぞれ提供されるが、１つまたはそれ以上の同一の特徴を得るために必ずしも全てが提供される必要はない。
【図面の簡単な説明】
【００１１】
【図１】本開示の実施の形態に係る演出制御システムのシステム構成例を示した図
【図２】演出制御システムのブロック構成例を示した図
【図３】無線通信端末のディスプレイに表示されるマップ画面例を示した図
【図４】制御コマンド蓄積部で蓄積される制御コマンド例を示した図
【図５】制御コマンド設定部による時刻設定処理後の制御コマンド例を示した図
【図６】制御装置の処理フロー例を示した図
【図７】無線通信端末の処理フロー例を示した図
【図８】無線通信端末の同期処理の例を説明する図
【図９】制御コマンドの省略の例を説明する図
【発明を実施するための形態】
【００１２】
以下、図面を適宜参照して、本発明の実施の形態について、詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１３】
なお、添付図面および以下の説明は、当業者が本開示を十分に理解するために、提供されるのであって、これらにより特許請求の範囲に記載の主題を限定することは意図されていない。
【００１４】
図１は、本開示の実施の形態に係る演出制御システム１００のシステム構成例を示した図である。図１に示すように、演出制御システム１００は、制御装置１０と、アクセスポイント２０と、複数のカメラ３０（カメラ３０−１〜カメラ３０−Ｎ）と、複数の子機４０（子機４０−１〜子機４０−Ｎ）と、無線通信端末５０と、複数の遠隔子機６０（遠隔子機６０−１〜遠隔子機６０−Ｎ）と、を有している。図１では、アクセスポイント２０は、１台であるが、複数台存在してもよい。
【００１５】
制御装置１０、アクセスポイント２０、カメラ３０、および子機４０は、例えば、コンサートといったイベントが行われるスタジアムやホールといった施設に配置される。以下では、イベントが行われる場所を、メイン会場と呼ぶことがある。
【００１６】
無線通信端末５０および遠隔子機６０は、メイン会場から離れた施設に配置される。例えば、無線通信端末５０および遠隔子機６０は、メイン会場とは別のパブリックビューイング会場に配置される。以下では、メイン会場から離れた施設を、遠隔スポットと呼ぶことがある。
【００１７】
制御装置１０は、演出制御システム１００全体の制御を行う。制御装置１０は、例えば、ＰＣ（Personal Computer）であってもよい。
【００１８】
制御装置１０は、例えば、無線または有線ＬＡＮ（Local Area Network）を介して、アクセスポイント２０と接続されている。また、制御装置１０は、有線通信または無線通信によって、カメラ３０と接続されている。また、制御装置１０は、ネットワーク７０を介して、無線通信端末５０と接続されている。
【００１９】
ネットワーク７０は、例えば、ＬＴＥ（Long Term Evolution）といった無線通信ネットワークおよびインターネットを含む。制御装置１０および無線通信端末５０は、ネットワーク７０を介して、通信を行う。
【００２０】
子機４０は、例えば、無線通信機能を備えたペンライトやブレスレッドであり、メイン会場の観客によって所持される。子機４０は、制御装置１０の制御によって、例えば、光を点灯および消灯したり、点灯させる光の色を変更したり、光の明度を変更したりする。
【００２１】
カメラ３０は、メイン会場内に設置され、子機４０による集合演出を含むイベントの様子を撮影する。
【００２２】
無線通信端末５０は、例えば、スマートフォンであり、遠隔スポットの観客によって所持される。
【００２３】
遠隔子機６０は、例えば、無線通信機能を備えたペンライトやブレスレッドであり、遠隔スポットの観客によって所持される。遠隔子機６０は、制御装置１０の制御によって、例えば、光を点灯および消灯したり、点灯させる光の色を変更したり、光の明度を変更したりする。
【００２４】
図１の演出制御システム１００の概略動作について説明する。制御装置１０は、子機４０の発光を制御し、メイン会場の観客席を演出する。例えば、制御装置１０は、子機４０の光の色を変えて演出領域である観客席の色を変えたり、子機４０の光の点灯および消灯を制御して観客席に文字を表示したりする。
【００２５】
カメラ３０は、メイン会場の子機４０による集合演出を含むイベントの様子を撮影し、撮影した映像信号を制御装置１０に送信する。制御装置１０は、カメラ３０の映像信号を、ネットワーク７０を介して、遠隔スポットの無線通信端末５０に送信する。これにより、遠隔スポットの無線通信端末５０のディスプレイには、メイン会場の子機４０による集合演出を含むイベントの様子が表示される。
【００２６】
なお、無線通信端末５０のユーザは、無線通信端末５０を用いて、カメラ３０が撮影するメイン会場内の場所を指定する。すなわち、無線通信端末５０のディスプレイには、ユーザが指定した、メイン会場内での位置によって変化するイベントの様子が表示される。
【００２７】
制御装置１０は、メイン会場の子機４０と同様の集合演出を行うように、無線通信端末５０を介して、遠隔子機６０を制御する。このとき、無線通信端末５０は、無線通信端末５０のディスプレイに表示される子機４０の集合演出と、遠隔子機６０の集合演出とが同期するように制御する。
【００２８】
これにより、遠隔スポットにいる観客は、メイン会場にいる観客と一体感が生まれ、メイン会場で実施されているイベントをより楽しむことができる。
【００２９】
図２は、演出制御システム１００のブロック構成例を示した図である。図２において、図１と同じものには同じ符号が付してある。図２に示すように、制御装置１０は、記憶部１１と、通信部１２と、外部通信部１３と、制御部１４と、を有している。
【００３０】
記憶部１１は、種々のデータを記憶するストレージデバイスである。記憶部１１は、例えば、ＨＤＤ（Hard Disk Drive）、メモリカードを含む構成である。
【００３１】
記憶部１１には、演出情報が記憶されている。演出情報は、子機４０および遠隔子機６０によって、メイン会場内および遠隔スポット内を集合演出するための情報である。制御部１４は、記憶部１１に記憶されている演出情報に基づいて、メイン会場の子機４０および遠隔スポットの遠隔子機６０の発光を制御する。
【００３２】
通信部１２は、例えば、有線ＬＡＮの通信インタフェースである。通信部１２は、例えば、アクセスポイント２０へ送信する信号の送信処理およびアクセスポイント２０から受信する信号の受信処理を行う。通信部１２は、無線ＬＡＮの通信インタフェースであってもよい。
【００３３】
外部通信部１３は、インターネットと接続可能な通信インタフェースである。外部通信部１３は、例えば、無線通信端末５０へ送信する信号の送信処理および無線通信端末５０から受信する信号の受信処理を行う。
【００３４】
制御部１４は、記憶部１１に対するデータの入出力を行う。また、制御部１４は、通信部１２を介して、子機４０と通信を行う。また、制御部１４は、外部通信部１３を介して、無線通信端末５０と通信を行う。制御部１４は、演出制御部１４１と、接続制御部１４２と、マップ制御部１４３と、タイムスタンプ付与部１４４と、カメラ制御部１４５と、を有している。
【００３５】
演出制御部１４１は、記憶部１１に記憶されている演出情報と、子機４０の位置情報とに基づいて、子機４０それぞれの発光状態を決定する。演出制御部１４１は、決定した発光状態に従って子機４０が発光するように、子機４０の発光を制御する制御コマンドを生成する。すなわち、演出制御部１４１は、子機４０が、記憶部１１に格納された演出情報に応じた集合演出を行うように、制御コマンドを生成する。演出制御部１４１は、生成した制御コマンドを、通信部１２を介して、子機４０に送信する。
【００３６】
接続制御部１４２は、無線通信端末５０との接続および切断に関する処理を行う。また、接続制御部１４２は、制御装置１０と無線通信端末５０との間の通信制御処理を行う。
【００３７】
マップ制御部１４３は、例えば、メイン会場の観客席の位置情報と、メイン会場内に設置されたカメラ３０の位置情報とを含む、メイン会場内のマップ情報を生成する。マップ制御部１４３は、生成したマップ情報を無線通信端末５０へ送信する。
【００３８】
なお、作成するマップ情報は、メイン会場内に存在するカメラ３０および子機４０の位置を示している。このため、マップ情報は、メイン会場の種類に応じて変更され、また、カメラ３０および子機４０が移動可能な会場では、時間経過によって変化する情報である。例えば、観客席の設置がない会場の場合は、子機４０の位置情報を元にした子機位置を明示した情報であってもよい。
【００３９】
なお、無線通信端末５０は、マップ制御部１４３から送信されたマップ情報に基づいて、メイン会場内のカメラ位置と観客席とをディスプレイに表示する。
【００４０】
図３は、無線通信端末５０のディスプレイに表示されるマップ画面例を示した図である。無線通信端末５０は、マップ制御部１４３から送信されたマップ情報に基づいて、ディスプレイに、図３に示すようなメイン会場内のマップを表示する。例えば、無線通信端末５０のディスプレイには、メイン会場のステージＡ１と、子機４０を所持する観客の座席一覧Ａ２と、カメラ３０と、が表示される。
【００４１】
無線通信端末５０は、ユーザから、ディスプレイに表示させたいメイン会場の位置を受付ける。無線通信端末５０は、ユーザから受付けたメイン会場の位置の位置情報を、ネットワーク７０を介して、制御装置１０のマップ制御部１４３に送信する。
【００４２】
例えば、無線通信端末５０は、図３に示すカメラ３０の位置や観客席の位置をユーザから受付ける。無線通信端末５０は、ユーザから受付けた情報（位置情報）を、ネットワーク７０を介して、制御装置１０のマップ制御部１４３に送信する。これにより、無線通信端末５０のディスプレイには、ユーザが見たいメイン会場内の位置に応じた映像が表示される。
【００４３】
図２の説明に戻る。タイムスタンプ付与部１４４は、無線通信端末５０へ送信する制御コマンドにタイムスタンプを付与する。
【００４４】
カメラ制御部１４５は、カメラ３０から出力される映像信号を受信する。カメラ制御部１４５は、受信した映像信号に対して所定の信号処理を行い、無線通信端末５０に送信する。なお、カメラ制御部１４５は、無線通信端末５０から送信された位置情報に基づいて、集合演出を撮影するカメラ３０を指定する。
【００４５】
アクセスポイント２０は、有線ＬＡＮのネットワークを介して制御装置１０と接続されている。アクセスポイント２０は、例えば、９２０ＭＨｚ帯の無線通信により子機４０と通信を行う。
【００４６】
カメラ３０は、メイン会場内を撮影し、撮影した映像（動画像）を有線または無線のネットワークにより制御装置１０へ送信する。
【００４７】
子機４０は、アクセスポイント２０を介して、制御装置１０と通信を行う。子機４０は、発光デバイスおよび発光制御部（図示せず）を有している。発光デバイスは、少なくとも１つのＬＥＤ（Light Emitting Diode）ライトを有する。発光デバイスは、例えば、点灯、消灯、点灯する光の色の変更、および点灯する光の明度の変更が可能なデバイスである。発光制御部は、制御装置１０から送信された制御コマンドに基づいて、発光デバイスの点灯、消灯、点灯する光の色の変更、および点灯する光の明度の変更を制御する。子機４０は、それぞれ同様の構成を有している。
【００４８】
無線通信端末５０は、公衆ネットワークへの通信インタフェースを持たない遠隔子機６０と、例えば、ＢＬＥ（Bluetooth Low Energy）（登録商標）のネットワークを介して接続される。また、無線通信端末５０は、例えば、ＬＴＥのネットワークを介して制御装置１０と通信し、制御装置１０から、遠隔子機６０を制御するための制御コマンドおよびカメラ３０が撮影する映像を受信する。無線通信端末５０は、制御装置１０から送信された制御コマンドを、ＢＬＥによって遠隔子機６０に送信する。
【００４９】
なお、無線通信端末５０と遠隔子機６０との通信は、ＢＬＥに限られない。無線通信端末５０は、何らかの近接無線で遠隔子機６０と通信ができればよい。また、無線通信端末５０と制御装置１０との間の無線通信は、ＬＴＥに限られない。無線通信端末５０と制御装置１０との間の無線通信は、例えば、ＷｉＭＡＸ（登録商標）やＷｉＦｉ（登録商標）などの無線公衆ネットワークを用いてもよい。
【００５０】
無線通信端末５０は、無線通信部５１と、ディスプレイ５２と、外部通信部５３と、制御部５４と、を有している。無線通信部５１は、近接無線の通信インタフェースである。無線通信部５１は、例えば、ＢＬＥの通信インタフェースである。無線通信部５１は、例えば、遠隔子機６０へ送信する信号の送信処理および遠隔子機６０から受信する信号の受信処理を行う。
【００５１】
ディスプレイ５２は、無線通信端末５０が有する表示装置である。ディスプレイ５２は、制御装置１０から送信されるメイン会場内のマップ、制御装置１０から送信されるメイン会場内の集合演出を含む映像、を表示する。なお、無線通信端末５０は、無線接続または有線接続された外部の表示ディスプレイに、映像を表示してもよい。
【００５２】
外部通信部５３は、例えば、ＬＴＥの通信インタフェースである。外部通信部５３は、例えば、制御装置１０へ送信する信号の送信処理および制御装置１０から受信する信号の受信処理を行う。
【００５３】
制御部５４は、外部通信部５３を介して、制御装置１０と通信を行う。また、制御部５４は、無線通信部５１を介して、遠隔子機６０と通信を行う。制御部５４は、演出制御部５４１と、接続制御部５４２と、演出位置選択部５４３と、映像制御部５４４と、制御コマンド蓄積部５４５と、制御コマンド設定部５４６と、同期制御部５４７と、を有している。
【００５４】
演出制御部５４１は、制御コマンド設定部５４６が設定した時刻に、制御コマンドを遠隔子機６０に送信する。
【００５５】
以下では、説明を簡単にするため、演出制御部５４１は、１制御コマンドを１時刻で送信するとしている。演出制御部５４１が、例えば、１制御コマンドをブロードキャスト配信することで、制御部５４は、配下の遠隔子機６０それぞれに対する制御ができる。もちろん、演出制御部５４１は、Ｎ個の制御コマンドを、１時刻で送信してもよい（ユニキャストにより、遠隔子機６０それぞれに別の制御コマンドを順に送信してもよい）。
【００５６】
接続制御部５４２は、制御装置１０との通信の接続および切断に関する処理を行う。また、接続制御部５４２は、制御装置１０と無線通信端末５０との間の通信制御処理を行う。
【００５７】
ディスプレイ５２には、上記したように、制御装置１０から送信されるマップ情報に基づいて、メイン会場内のマップが表示される。ユーザは、ディスプレイ５２に表示されたマップから、ディスプレイ５２に表示させたいメイン会場内の位置を選択する。なお、ユーザの選択は、ディスプレイ５２が入力部を兼ねたタッチディスプレイによって、行われてもよい。演出位置選択部５４３は、ユーザにより選択されたメイン会場の位置情報を、ネットワーク７０を介して、制御装置１０に送信する。
【００５８】
映像制御部５４４は、制御装置１０から送信された映像信号をデコードする。映像制御部５４４は、デコードした映像信号をディスプレイ５２に表示する。
【００５９】
制御コマンド蓄積部５４５は、制御装置１０から送信された遠隔子機６０を制御する制御コマンドの蓄積（記憶）を行う。制御コマンド蓄積部５４５は、例えば、メモリの記憶装置を備える。
【００６０】
図４は、制御コマンド蓄積部５４５で蓄積される制御コマンド例を示した図である。図４に示すように、制御コマンド蓄積部５４５には、制御装置１０から送信された制御コマンドと、制御装置１０が制御コマンドに付与したタイムスタンプとが、１対１で対応付けられ、蓄積される。
【００６１】
タイムスタンプは、対応する制御コマンドが、子機４０に送信された時刻を示している。例えば、図４の例の場合、ｃｍｄ２は、ｃｍｄ１が子機４０に送信された後、１２０ｍｓ経過後に子機４０に送信されたことを示している。なお、タイムスタンプは、次に説明する制御コマンド設定部５４６によって、無線通信端末５０のタイムスタンプに書き換えられる。
【００６２】
図２の説明に戻る。制御コマンド設定部５４６は、同期制御部５４７で実行される、映像と制御コマンドとの同期処理に基づいて、遠隔子機６０へ送信する制御コマンドの時刻設定処理を行う。例えば、制御コマンド設定部５４６は、制御コマンド蓄積部５４５に蓄積された制御コマンドが、ディスプレイ５２に表示されるメイン会場の集合演出を含む映像と同期するように、タイムスタンプを書き換える。
【００６３】
図５は、制御コマンド設定部５４６による時刻設定処理後の制御コマンド例を示した図である。図５に示す制御コマンドは、図４に示した制御コマンドに対し、タイムスタンプが書き換えられている。制御コマンド設定部５４６は、次に説明する同期制御部５４７の制御によって、制御コマンドに付与されているタイムスタンプを書き換える。制御コマンド設定部５４６は、書き換えたタイムスタンプと制御コマンドとを、例えば、メモリを含む記憶装置に記憶する。
【００６４】
なお、演出制御部５４１は、例えば、図５に示す制御コマンドを、対応する送信タイムスタンプの時刻で、遠隔子機６０に送信する。
【００６５】
図２の説明に戻る。同期制御部５４７は、映像制御部５４４で制御されるメイン会場の映像と、遠隔子機６０に送信する制御コマンドとを同期させる。すなわち、同期制御部５４７は、ディスプレイ５２に表示されるメイン会場の集合演出と、遠隔子機６０による集合演出とを同期させる処理を行う。具体的な処理については後述する。
【００６６】
遠隔子機６０−１は、例えば、ＢＬＥによって、無線通信端末５０と通信を行う。遠隔子機６０−１は、無線通信部６１と、接続制御部６２と、発光デバイス６３と、発光制御部６４と、を有している。
【００６７】
無線通信部６１は、例えば、ＢＬＥの無線通信インタフェースである。無線通信部６１は、例えば、無線通信端末５０との接続処理、無線通信端末５０へ送信する信号の送信処理、および無線通信端末５０から受信する信号の受信処理を行う。無線通信部６１は、無線通信端末５０から制御コマンドを受信する。
【００６８】
接続制御部６２は、無線通信端末５０に対し、無線通信の接続処理を行う。
【００６９】
発光デバイス６３は、少なくとも１つのＬＥＤライトを有する。発光デバイス６３は、例えば、点灯、消灯、点灯する光の色の変更、および点灯する光の明度の変更を行うデバイスである。
【００７０】
発光制御部６４は、無線通信部６１を介して、無線通信端末５０から、制御コマンドを受信する。発光制御部６４は、受信した制御コマンドに基づいて、発光デバイス６３の点灯、消灯、点灯する光の色の変更、および点灯する光の明度の変更を制御する。
【００７１】
なお、遠隔子機６０−２〜遠隔子機６０−Ｎは、遠隔子機６０−１と同様の構成を有しており、その説明を省略する。
【００７２】
図６は、制御装置１０の処理フロー例を示した図である。まず、カメラ制御部１４５は、カメラ３０から、映像信号を受信する（Ｓ２０１）。
【００７３】
次に、演出制御部１４１は、記憶部１１から演出情報を取得し、取得した演出情報に基づいて、子機４０を制御する（Ｓ２０２）。すなわち、演出制御部１４１は、記憶部１１に記憶されている演出情報に従った集合演出を行うように子機４０を制御する。
【００７４】
次に、制御部１４は、無線通信端末５０から、端末コマンドを受信したかを確認する（Ｓ２０３）。制御部１４は、無線通信端末５０から、端末コマンドを受信していない場合（Ｓ２０３：ＮＯ）、Ｓ２０２による集合演出を継続する（端末コマンドを待ち、集合演出を継続する）。
【００７５】
なお、端末コマンドとは、無線通信端末５０が制御装置１０に送信するコマンドであり、例えば、無線通信端末５０が集合演出に参加する際に用いる「接続通知」、ユーザによって選択された会場内での位置を示す「位置情報通知」、無線通信端末５０が集合演出から退出する際に用いる「切断通知」を含む。
【００７６】
一方、制御部１４は、無線通信端末５０から、端末コマンドを受信した場合（Ｓ２０３：ＹＥＳ）、受信した端末コマンドのコマンド種別を判定する（Ｓ２０４）。
【００７７】
制御部１４によるＳ２０４での判定が、「接続通知」の場合、接続制御部１４２は、無線通信端末５０による接続を受け入れるか否かを判定し（判定処理の図示を省略）、無線通信端末５０による接続を受け入れる場合、正常応答を返す（Ｓ２０５）。なお、接続制御部１４２は、例えば、無線通信端末５０が通知する遠隔子機６０の情報（例えば、デバイスＩＤ）を元に、メイン会場の演出に参加可能な遠隔子機６０か否かを判定する。
【００７８】
次に、マップ制御部１４３は、子機４０およびカメラ３０の位置情報を元に、メイン会場のマップ情報を作成する（Ｓ２０６）。例えば、マップ制御部１４３は、図３に示したようなメイン会場のマップ情報を作成する。
【００７９】
次に、マップ制御部１４３は、生成したマップ情報を、ネットワーク７０を介して、無線通信端末５０へ送信する（Ｓ２０７）。マップ制御部１４３は、処理をＳ２０４に移行する。
【００８０】
制御部１４によるＳ２０４での判定が、「位置情報通知」の場合、カメラ制御部１４５は、無線通信端末５０から送信された位置情報に基づいて、無線通信端末５０に送信する映像を撮影するカメラ３０を指定する（Ｓ２０８）。
【００８１】
次に、カメラ制御部１４５は、指定したカメラ３０が撮影した映像を無線通信端末５０へ送信する（Ｓ２０９）。
【００８２】
次に、タイムスタンプ付与部１４４は、無線通信端末５０から受信した位置情報の場所に存在する、または、その周辺に存在する子機４０の発光状態を制御する制御コマンドにタイムスタンプを付与する。演出制御部１４１は、タイムスタンプが付与された制御コマンドを、ネットワーク７０を介して、無線通信端末５０に送信する（Ｓ２１０）。すなわち、演出制御部１４１は、ユーザが選択した位置の子機４０に送信した制御コマンドを、無線通信端末５０にも送信する。タイムスタンプの付与に関しては、以下で詳述する。
【００８３】
次に、制御部１４は、無線通信端末５０から、端末コマンドを受信したか否かを判定する（Ｓ２１１）。制御部１４は、端末コマンドを受信していない場合、処理をＳ２０９へ移行する。一方、制御部１４は、端末コマンドを受信した場合、処理をＳ２０４へ移行する。
【００８４】
制御部１４によるＳ２０４での判定が、「切断通知」の場合、演出制御部１４１は、無線通信端末５０に対する制御コマンドの送信を停止する（Ｓ２１２）。
【００８５】
次に、カメラ制御部１４５は、無線通信端末５０へのカメラ映像の送信を停止する（Ｓ２１３）。
【００８６】
次に、制御部１４は、無線通信端末５０へ切断応答を送信し、当該フローを終了する（Ｓ２１４）。
【００８７】
図７は、無線通信端末５０の処理フロー例を示した図である。以下では、無線通信端末５０は、ＢＬＥによって、遠隔子機６０と無線通信を行う。
【００８８】
まず、無線通信部５１は、ＢＬＥの接続方式に基づいて、遠隔子機６０と接続する（Ｓ３０１）。このとき、無線通信部５１は、遠隔子機６０から、遠隔子機６０を識別するＩＤ（例えば、デバイスＩＤ）を受信する。
【００８９】
次に、接続制御部５４２は、ネットワーク７０を介して、制御装置１０に対し、遠隔子機６０との接続を通知し、その応答を受信する（Ｓ３０２）。このとき、制御部５４は、遠隔子機６０のＩＤを制御装置１０に送信する。
【００９０】
次に、演出位置選択部５４３は、制御装置１０から、メイン会場のマップ情報を受信する（Ｓ３０３）。
【００９１】
次に、演出位置選択部５４３は、ユーザから、ディスプレイ５２に表示させたいメイン会場の位置を受付け、受付けた位置の位置情報を、制御装置１０に送信する（Ｓ３０４）。
【００９２】
例えば、演出位置選択部５４３は、Ｓ３０３にて受信したマップ情報に基づいて、メイン会場内のマップ（例えば図３参照）をディスプレイ５２に表示する。演出位置選択部５４３は、ディスプレイに表示されたメイン会場内のマップから、ディスプレイ５２に表示させたいメイン会場の位置を受付ける。そして、演出位置選択部５４３は、受付けた位置の位置情報を、ネットワーク７０を介して、制御装置１０へ送信する。
【００９３】
次に、制御部５４は、イベントを受信した否かを判定する（Ｓ３０５）。ここでのイベントとは、例えば、無線通信端末５０が備えるタイマー（図２には図示せず）からのタイマー通知、ユーザ操作、およびデータ受信である。データ受信には、例えば、制御装置１０から送信される制御コマンド（図６のＳ２１０を参照）および映像（図６のＳ２０９を参照）がある。
【００９４】
制御部５４によるＳ３０５の判定が、「制御コマンド」の場合、制御コマンド蓄積部５４５は、制御装置１０から送信された制御コマンドを蓄積する（Ｓ３０６）。制御コマンド蓄積部５４５は、制御コマンドを蓄積すると、処理をＳ３０５に移行する。
【００９５】
制御部５４によるＳ３０５の判定が、「映像」の場合、映像制御部５４４は、制御装置１０から送信された映像をデコードする（Ｓ３０７）。
【００９６】
次に、同期制御部５４７は、制御コマンド蓄積部５４５に制御コマンドが蓄積されているか否かを判定する（Ｓ３０８）。
【００９７】
同期制御部５４７は、制御コマンド蓄積部５４５に制御コマンドが蓄積されていると判定した場合（Ｓ３０８：ＹＥＳ）、無線通信端末５０が生成するタイムスタンプ（以下、端末タイムスタンプと呼ぶことがある）と、蓄積されている制御コマンドに付与されているタイムスタンプ（例えば図４参照）と、制御装置１０から送信された映像に付与されているタイムスタンプとから、蓄積されている制御コマンドを遠隔子機６０に送信する時間を算出する（送信時間の算出については以下で詳述する）。同期制御部５４７は、算出した時間をコマンド設定部５４６へ出力する（Ｓ３０９）。なお、コマンド設定部５４６は、同期制御部５４７が算出した送信時間に基づいて、蓄積されている制御コマンド（例えば図４参照）に付与されているタイムスタンプを書き換える（例えば図５参照）。また、コマンド設定部５４６は、制御コマンド蓄積部５４５に蓄積されている、タイムスタンプが書き換えられた制御コマンドを削除する。
【００９８】
次に、映像制御部５４４は、制御装置１０から送信された映像をディスプレイ５２に表示する（Ｓ３１０）。映像制御部５４４は、制御コマンド蓄積部５４５に制御コマンドが蓄積されていないと判定された場合（Ｓ３０８：ＮＯ）も、制御装置１０から送信された映像をディスプレイ５２に表示する（Ｓ３１０）。映像制御部５４４は、処理をＳ３０５に移行する。
【００９９】
制御部５４によるＳ３０５の判定が、「タイマー通知」の場合、演出制御部５４１は、無線通信端末５０が生成する端末タイムスタンプと同じタイムスタンプを有する制御コマンドを、遠隔子機６０に送信する（Ｓ３１１）。演出制御部５４１は、処理をＳ３０５に移行する。
【０１００】
制御部５４によるＳ３０５の判定が、「ユーザ操作」の場合、演出位置選択部５４３は、ユーザの操作種別を判定する（Ｓ３１２）。演出位置選択部５４３は、ユーザの操作が、ディスプレイ５２に表示するメイン会場の位置選択の場合、ユーザが選択したメイン会場の位置の位置情報を、制御装置１０に送信する（Ｓ３１３）。そして、演出位置選択部５４３は、処理をＳ３０５に移行する。一方、演出位置選択部５４３は、ユーザの操作が、集合演出のアプリケーションの終了操作の場合、制御装置１０へ切断通知を送信し、切断通知に対する応答を受信して、当該処理フローを終了する（Ｓ３１４）。
【０１０１】
図８は、無線通信端末５０の同期処理の例を説明する図である。図８に示す変数は、以下の通りである。
【０１０２】
ここで、同期処理は、制御装置１０の子機４０を制御する間隔（Ｃ０）と、無線通信端末５０の遠隔子機６０を制御する間隔（Ｃ１）との、互いの無線通信環境の違いから生じる差異を抑制するために行う処理である。
【０１０３】
この同期処理によって、制御装置１０から受信した映像内で、Ｃ０間隔で切り替わる子機４０の発光と、制御装置１０から受信した制御コマンドの送信により、Ｃ１間隔で切り替わる遠隔子機６０の発光とのタイミングを合わせることができる。
【０１０４】
Ｃ０：制御装置１０の子機４０への制御コマンド送信間隔
Ｃ１：無線通信端末５０の遠隔子機６０への制御コマンド送信間隔
Ｌ０：制御装置１０の子機４０への制御コマンド送信から、その制御コマンドにより子機４０が点灯および消灯等するまでの時間
Ｌ１：無線通信端末５０の遠隔子機６０への制御コマンド送信から、その制御コマンドにより遠隔子機６０が点灯および消灯等するまでの時間
Ｄ：制御装置１０の子機４０への制御コマンド送信から、その制御コマンドにより点灯または消灯した子機４０が写った映像を制御装置１０が受信するまでの時間
【０１０５】
なお、Ｃ０とＣ１は異なり、Ｃ０＜Ｃ１とする（Ｃ０よりもＣ１の方が、送信間隔が長い）。また、図８の例では、変数を下記のように設定する。
【０１０６】
子機４０の制御間隔Ｃ０：１２０ｍｓ（８．３３ｆｐｓ）
カメラ３０のフレーム間隔：２０ｍｓ（５０ｆｐｓ）
映像フレームの伝送間隔：６０ｍｓ（１６．６７ｆｐｓ）
遠隔子機６０の制御間隔Ｃ１：１４０ｍｓ（７．１４ｆｐｓ）
遠隔子機６０の点灯および消灯等するまでの時間Ｌ１：２０ｍｓ
【０１０７】
図８の子機制御間隔７０２は、制御コマンドの子機４０への送信間隔を示している。子機制御間隔７０２に示す黒丸および黒三角は、子機４０の制御コマンドを示している。演出制御部１４１は、子機制御間隔７０２に示す「Ｃ０」の間隔（子機制御間隔７０２の網掛け部分）で、制御コマンドを子機４０に送信する。
【０１０８】
子機点灯状態７０１は、子機４０の点灯状態を示している。例えば、子機４０は、子機点灯状態７０１に示す黒丸の間、黒丸の制御コマンドに応じた発光を行う。また、子機４０は、子機点灯状態７０１に示す黒三角の間、黒三角の制御コマンドに応じた発光を行う。子機４０では、子機点灯状態７０１の「Ｌ０」に示すように、演出制御部１４１が制御コマンドを送信してから「Ｌ０」後に、制御コマンドに応じた発光が行われる（遅延が生じる）。
【０１０９】
カメラ映像７０３は、カメラ３０から出力される映像（映像信号）の、カメラ制御部１４５の受信を示している。カメラ制御部１４５は、カメラ映像７０３に示すように「Ｄ」だけ遅れて、制御コマンドに応じた発光状態の映像を受信する。なお、カメラ映像７０３に示す「３００００」および「３０１２０」は、カメラ制御部１４５が受信した映像フレームに付与されたタイムスタンプ（以下、映像タイムスタンプと呼ぶことがある）を示している。
【０１１０】
「Ｄ」は、既知である。従って、演出制御部１４１は、子機４０に送信した制御コマンドを無線通信端末５０に送信する時に、映像フレームに付与される映像タイムスタンプを付与することができる。
【０１１１】
例えば、演出制御部１４１は、黒丸の制御コマンドが子機４０に送信された時に、黒丸の制御コマンドに対応した子機４０の映像フレームには、映像タイムスタンプ「３００００」が付与されると判定できる。また、演出制御部１４１は、黒三角の制御コマンドが子機４０に送信された時に、黒三角の制御コマンドに対応した子機４０の映像フレームには、映像タイムスタンプ「３０１２０」が付与されると判定できる。従って、演出制御部１４１は、タイムスタンプ「３００００」が付与された黒丸の制御コマンドを、無線通信端末５０に送信できる。また、演出制御部１４１は、タイムスタンプ「３０１２０」が付与された黒三角の制御コマンドを、無線通信端末５０に送信できる。つまり、演出制御部１４１は、「Ｄ」を加算したタイムスタンプが付与された制御コマンドを、無線通信端末５０に送信する。
【０１１２】
映像エンコード＋送信７０４は、無線通信端末５０に送信される映像のエンコードの送信を示している。カメラ制御部１４５は、カメラ３０が撮影した映像をエンコードし、無線通信端末５０に送信する。
【０１１３】
コマンド蓄積７０５は、制御装置１０から送信された制御コマンドの蓄積を示している。制御コマンド蓄積部５４５は、例えば、コマンド蓄積７０５に示すように、タイムスタンプ「３００００」が付与された黒丸の制御コマンドと、タイムスタンプ「３０１２０」が付与された黒三角の制御コマンドとを蓄積する。
【０１１４】
映像受信７０６は、制御装置１０から送信された映像（映像エンコード＋送信７０４）の受信を示している。映像受信７０６に示す端末タイムスタンプは、無線通信端末５０が生成するタイムスタンプを示している。映像受信７０６に示す映像タイムスタンプは、制御装置１０から送信された映像に付与されているタイムスタンプを示している。
【０１１５】
映像デコード再生７０７は、制御装置１０から送信された映像の、ディスプレイ５２での再生（デコード）を示している。映像デコード再生７０７の黒丸は、黒丸の制御コマンドに基づいて、発光を行っているメイン会場の子機４０の映像が、ディスプレイ５２に再生されていることを示している。映像デコード再生７０７の黒三角は、黒三角の制御コマンドに基づいて、発光等を行っているメイン会場の子機４０の映像が、ディスプレイ５２に再生されていることを示している。
【０１１６】
遠隔子機制御間隔７０８は、制御コマンドの遠隔子機６０への送信間隔を示している。演出制御部５４１は、遠隔子機制御間隔７０８に示す「Ｃ１」の間隔（遠隔子機制御間隔７０８の網掛け部分）で、制御コマンドを遠隔子機６０に送信する。例えば、演出制御部５４１は、端末タイムスタンプ「…７０１００，…，８９９８０，９０１２０，…」の時刻で、制御コマンドを遠隔子機６０に送信する。なお、無線通信端末５０の制御コマンドを送信する間隔は「Ｃ１」（Ｃ１＝１４０ｍｓ）であり、制御装置１０の制御コマンドを送信する間隔「Ｃ０」（Ｃ０＝１２０ｍｓ）と異なっている。
【０１１７】
遠隔子機点灯状態７０９は、遠隔子機６０の点灯状態を示している。例えば、遠隔子機６０は、遠隔子機点灯状態７０９に示す黒丸の間、黒丸の制御コマンドに応じた発光を行う。また、遠隔子機６０は、遠隔子機点灯状態７０９に示す黒三角の間、黒三角の制御コマンドに応じた発光を行う。遠隔子機６０では、遠隔子機点灯状態７０９の「Ｌ１」に示すように、演出制御部５４１が制御コマンドを送信してから「Ｌ１」後に、制御コマンドに応じた発光が行われる。なお、ラインＡ１１に示すように、黒丸の制御コマンドに応じた発光状態の子機４０の映像表示開始時刻と、遠隔子機６０の黒丸の制御コマンドによる発光状態の開始時刻は、同期している。
【０１１８】
ディスプレイ５２に表示されるメイン会場の集合演出と、遠隔子機６０による集合演出とを同期させる処理について説明する。
【０１１９】
無線通信端末５０の端末タイムスタンプと、制御装置１０の映像タイムスタンプは、異なっている。例えば、図８の映像デコード再生７０７に示すように、無線通信端末５０の端末タイムスタンプが「７００００」の時に、映像タイムスタンプ「１００００」の映像（制御装置１０から送信された映像）がディスプレイ５２に表示される。
【０１２０】
同期制御部５４７は、制御装置１０から送信された映像に付与されている映像タイムスタンプと、無線通信端末５０の現在の端末タイムスタンプとから、制御装置１０の映像タイムスタンプと、無線通信端末５０の端末タイムスタンプとのずれを算出する。図８の例の場合、無線通信端末５０の端末タイムスタンプと、制御装置１０の映像タイムスタンプとのずれは、「６００００」である。
【０１２１】
制御コマンド蓄積部５４５は、制御装置１０から送信された制御コマンドを蓄積する（図４参照）。同期制御部５４７は、蓄積された制御コマンドに付与されている映像タイムスタンプから、その制御コマンドに応じた発光状態の子機４０の、ディスプレイ５２での表示時刻を判定できる。
【０１２２】
例えば、黒丸の制御コマンドには、映像タイムスタンプ「３００００」が付与されている。同期制御部５４７は、この映像タイムスタンプ「３００００」に、上記した制御装置１０の映像タイムスタンプと、無線通信端末５０の端末タイムスタンプとのずれ「６００００」を加算することにより、黒丸の制御コマンドに応じた子機４０の映像は、端末タイムスタンプ「９００００」において、ディスプレイ５２に表示されると判定できる。
【０１２３】
以上から、映像タイムスタンプ「３００００」が付与されている黒丸の制御コマンドを、端末タイムスタンプ「９００００」の時刻で、遠隔子機６０に送信することによって、遠隔子機６０の発光状態と、ディスプレイ５２に表示されている子機４０の発光状態とを合わせることが可能である。
【０１２４】
しかし、遠隔子機点灯状態７０９の「Ｌ１」に示すように、遠隔子機６０は、演出制御部５４１が制御コマンドを送信してから「Ｌ１」後に、制御コマンドに応じた発光を行う。そこで、同期制御部５４７は、遠隔子機６０に送信する制御コマンドのタイムスタンプに対し、遅延「Ｌ１」の補正を行う。
【０１２５】
例えば、同期制御部５４７は、黒丸の制御コマンドに付与されている映像タイムスタンプ「３００００」に、上記した制御装置１０の映像タイムスタンプと、無線通信端末５０の端末タイムスタンプとのずれ「６００００」を加算し、遅延「Ｌ１」（Ｌ１＝２０）を減算する。すなわち、同期制御部５４７は、制御コマンドに基づいて発光する子機４０の映像の、ディスプレイ５２への表示時刻（例えば図８のＡ１１）より前に、制御コマンドが遠隔子機６０にされるようにする。なお、同期制御部５４７が算出するタイムスタンプは、「８９９８０」となる（３００００＋６００００−２０＝８９９８０）。
【０１２６】
遠隔子機制御間隔７０８で説明したように、制御コマンドを送信する時刻は、決まっている（遠隔子機制御間隔７０８に示す網掛け部分であり、Ｃ１＝１４０ｍｓ）。同期制御部５４７は、制御装置１０の映像タイムスタンプと無線通信端末５０の端末タイムスタンプとのずれと、遅延「Ｌ１」とを考慮して算出したタイムスタンプを、そのタイムスタンプから最も近い送信時刻の端末タイムスタンプに変更する。
【０１２７】
例えば、同期制御部５４７が算出したタイムスタンプ「８９９８０」は、遠隔子機制御間隔７０８に示すように、制御コマンドの送信時刻の「８９９８０」と一致している。従って、同期制御部５４７は、算出したタイムスタンプ「８９９８０」を変更しない。
【０１２８】
一方、黒三角の制御コマンドに付与されている映像タイムスタンプは、コマンド蓄積７０５に示すように「３０１２０」である。この場合、制御装置１０の映像タイムスタンプと無線通信端末５０の端末タイムスタンプとのずれと、遅延「Ｌ１」とを考慮したタイムスタンプは、「９０１００」となる（３０１２０＋６００００−２０＝９０１００）。タイムスタンプ「９０１００」に最も近い制御コマンドの送信時刻は、図８の遠隔子機制御間隔７０８の例の場合、「９０１２０」である。従って、同期制御部５４７は、黒三角の制御コマンドに付与されていた映像タイムスタンプ「３０１２０」を、「９０１２０」に変更する。
【０１２９】
なお、演出制御部５４１は、端末タイムスタンプが「８９９８０」の時に、黒丸の制御コマンドを遠隔子機６０に送信する。演出制御部５４１は、端末タイムスタンプが「９０１２０」の時に、黒三角の制御コマンドを遠隔子機６０に送信する。Ｃ０とＣ１とが異なるため、ディスプレイ５２に表示される子機４０の発光状態と、遠隔子機６０の発光状態とを完全に同期させることは困難であるが、できる限り同期させることができる。
【０１３０】
Ｃ０＜Ｃ１の場合、演出制御部５４１は、遠隔子機６０に送信する制御コマンドを飛ばしてもよい（省略してもよい）。
【０１３１】
図９は、制御コマンドの省略の例を説明する図である。図９に示すコマンド種別は、遠隔子機６０に送信される制御コマンドの種別を示している。
【０１３２】
図９に示す送信タイムスタンプは、遠隔子機６０に送信される制御コマンドの送信時刻を示している。送信タイムスタンプは、上記したように、同期制御部５４７によって算出される。
【０１３３】
図９に示す「映像との差」は、ディスプレイ５２に表示される子機４０の発光状態の、制御コマンドに応じて切替わる時刻と、遠隔子機６０の発光状態の、制御コマンドに応じて切替わる時刻との差を示している。「映像との差」に記載の「＋」は、ディスプレイ５２に表示されている子機４０の発光状態の切替わる時刻よりも、遠隔子機６０の発光状態の切替わる時刻が遅いことを示している。「−」は、ディスプレイ５２に表示されている子機４０の発光状態の切替わる時刻よりも、遠隔子機６０の発光状態の切替わる時刻が早いことを示している。
【０１３４】
制御コマンドの遠隔子機６０に送信する時刻は、重なる場合がある。例えば、図９の送信タイムスタンプ「９０４００」に示すように、バツの制御コマンドの送信タイミングと、黒丸の制御コマンドの送信時刻とが重なる場合がある。この場合、演出制御部５４１は、「映像との差」が大きい方の制御コマンドの送信を省略する。なお、図９では、バツの制御コマンドの「映像との差」と、黒丸の制御コマンドの「映像との差」は、同じ大きさ（６０）である。この場合、演出制御部５４１は、バツの制御コマンドと、黒丸の制御コマンドとのどちらか一方を削除する。
【０１３５】
以上説明したように、演出制御システム１００は、制御コマンドに基づいて発光する発光デバイスを有する子機４０と、制御コマンドを生成し、無線通信によって子機４０に送信する制御装置１０と、子機４０の発光デバイスの発光による演出を撮影し、映像信号を制御装置１０へ送信するカメラ３０と、ディスプレイ５２を有し、制御装置１０と無線通信を行う無線通信端末５０と、制御コマンドに基づいて発光する発光デバイス６３を有する遠隔子機６０と、を備える。無線通信端末５０は、制御装置１０から映像信号を受信し、映像信号に基づく映像をディスプレイ５２に表示し、また、制御装置１０から制御コマンドを受信し、無線通信によって遠隔子機６０に送信する。
【０１３６】
これにより、遠隔スポットの観客は、遠隔スポットにおいても、容易にメイン会場の演出に参加できる。例えば、制御装置１０は、子機４０の制御コマンドと、メイン会場の映像とを、無線通信端末５０に送信するので、遠隔スポットの観客は、メイン会場の演出に応じたプログラムをダウンロードしなくても、メイン会場と同じ演出に参加できる。また、遠隔スポットの観客は、メイン会場の観客と一体感が生まれ、メイン会場で実施されているイベントをより楽しむことができる。
【０１３７】
また、無線通信端末５０は、遠隔子機６０の発光デバイス６３の発光が、ディスプレイ５２に表示される子機４０の発光とタイミングが合うように、制御コマンドの送信時刻を制御する。これにより、ディスプレイ５２に表示されるメイン会場の様子（集合演出）と、遠隔子機６０との発光タイミングが合い、遠隔スポットの観客は、メイン会場の観客と一体感が生まれ、メイン会場で実施されているイベントをより楽しむことができる。
【０１３８】
また、無線通信端末５０は、制御コマンドに基づいて発光する子機４０の映像の、ディスプレイ５２への表示時刻より前に、制御コマンドを遠隔子機６０に送信する。これにより、ディスプレイ５２に表示されるメイン会場の様子（集合演出）と、遠隔子機６０との発光タイミングが合い、遠隔スポットの観客は、メイン会場の観客と一体感が生まれ、メイン会場で実施されているイベントをより楽しむことができる。
【０１３９】
また、制御装置１０は、子機４０およびカメラ３０の配置を示すマップ情報を生成して無線通信端末５０へ送信し、無線通信端末５０は、マップ情報に基づいて子機４０およびカメラ３０の配置をディスプレイ５２に表示する。そして、無線通信端末５０は、ユーザから、ディスプレイ５２に表示する子機４０の位置の選択を受付ける。これにより、遠隔スポットの観客（ユーザ）は、メイン会場において任意の場所（イベントを見たい場所）からの集合演出を含むイベントの映像をディスプレイ５２に表示させることができる。
【０１４０】
また、制御装置１０は、ユーザが選択した位置に相当する子機４０に送信した制御コマンドを無線通信端末５０に送信する。これにより、ディスプレイ５２に表示されている子機４０の演出と、遠隔子機６０の演出とが同期するため、遠隔スポットの観客（ユーザ）は、メイン会場の観客と一体感が生まれ、メイン会場で実施されているイベントを、遠隔スポットであっても、より楽しむことができる。
【０１４１】
なお、上述した実施の形態において、アクセスポイント２０と子機４０との間の無線通信の一例として、９２０ＭＨｚ帯の無線通信を用いる例を説明したが、本開示はこれに限定されない。例えば、２．４ＧＨｚ帯、５ＧＨｚ帯の無線通信、６０ＧＨｚ帯のＷｉＧｉｇ（Wireless Gigabit）の無線通信であっても良い。
【０１４２】
また、上述した実施の形態において、無線通信端末５０は１台であるとして説明を行ったが、これに限定されない。例えば、無線通信端末５０は複数台存在し、複数の遠隔スポットを形成しても良い。
【０１４３】
また、上述した実施の形態において、子機４０と遠隔子機６０とを別々の構成として説明を行ったが、これに限定されない。例えば、子機４０が遠隔子機６０と同様に無線通信端末と接続する通信インタフェースを持つ構成を採ることによって、子機４０を持つユーザがメイン会場にいなくても、遠隔子機６０と同様に遠隔スポットを形成し、演出に参加させることが可能になる。
【０１４４】
また、上述した実施の形態において、遠隔子機６０と無線通信端末５０とをＢＬＥで接続するものとして説明を行ったが、これに限定されない。例えば、遠隔子機６０と無線通信端末５０とをＷｉＦｉ  Ｄｉｒｅｃｔにより接続することでも同様の効果を得ることが可能になる。
【０１４５】
また、上述した実施の形態において、無線通信端末５０が制御装置１０と接続する通信インタフェースがＬＴＥとして説明を行ったが、これに限定されない。例えば、無線通信端末５０がＷｉＦｉのホットスポットに存在し、ＷｉＦｉの通信インタフェースを用いて制御装置１０と接続をすることでも同様の効果を得ることが可能になる。
【０１４６】
また、上述した実施の形態において、無線通信端末５０はスマートフォンであるとして説明を行ったが、それに限定されない。制御装置１０から受信する映像を再生するディスプレイを持ち、遠隔子機６０との通信インタフェースを有する端末（例えばタブレット端末）であれば、同様の効果を得ることが可能になる。
【０１４７】
また、上述した実施の形態において、Ｃ０＜Ｃ１としたが、Ｃ０＝Ｃ１であってもよい。この場合、演出制御システム１００は、ディスプレイ５２に表示される子機４０の発光状態と、遠隔子機６０の発光状態とを同期させることができる。また、演出制御システム１００は、遠隔子機６０に送信する制御コマンドを省略しなくて済む。
【０１４８】
なお、Ｃ０＞Ｃ１となる場合は、メイン会場よりも遠隔スポットの演出の方が高品質となるケースであるため、ここでの説明は省略するが、上記の方法を適用してもよい。
【０１４９】
上記の実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１５０】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）、又は、ＬＳＩ内部の回路セルの接続や設定を再構成可能なリコンフィギュラブル・プロセッサーを利用してもよい。
【０１５１】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【産業上の利用可能性】
【０１５２】
本開示は、発光装置の集合演出を行うシステムに有用である。
【符号の説明】
【０１５３】
１０  制御装置
１１  記憶部
１２  通信部
１３  外部通信部
１４  制御部
１４１  演出制御部
１４２  接続制御部
１４３  マップ制御部
１４４  タイムスタンプ付与部
１４５  カメラ制御部
２０  アクセスポイント
３０−１〜３０−Ｎ  カメラ
４０−１〜４０−Ｎ  子機
５０  無線通信端末
５１  無線通信部
５２  ディスプレイ
５３  外部通信部
５４  制御部
５４１  演出制御部
５４２  接続制御部
５４３  演出位置選択部
５４４  映像制御部
５４５  制御コマンド蓄積部
５４６  制御コマンド設定部
５４７  同期制御部
６０−１〜６０−Ｎ  遠隔子機
６１  無線通信部
６２  接続制御部
６３  発光デバイス
６４  発光制御部
１００  演出制御システム
【図１】
2019097031.tif 000003
【図２】
2019097031.tif 000004
【図３】
2019097031.tif 000005
【図４】
2019097031.tif 000006
【図５】
2019097031.tif 000007
【図６】
2019097031.tif 000008
【図７】
2019097031.tif 000009
【図８】
2019097031.tif 000010
【図９】
2019097031.tif 000011